(57)【要約】【課題】円筒状曲面に形成された注出口と同一面とした蓋板と押レバーとを一体にした蓋板部材を具えた蓋体で、構造が簡単、組立が容易であり、蓋板の開閉がワンタッチで簡単にできる、液切れのよい塗料その他高粘度液容器の蓋体を提供すること。【解決手段】注出筒を具えたケース本体と、ケース本体に廻動自在に取着され、蓋板と押レバーを一体に連接した蓋板部材とを備えた容器の蓋体であって、ケース本体と蓋板部材との間に、蓋板部材を廻動させ、注出口を閉じる方向に付勢するばねを弾装したことを特徴とする。【選択図】　　　　図１
2004090997.tif 000002
【特許請求の範囲】
【請求項１】
注出筒を具えたケース本体と、ケース本体に廻動自在に取着され、蓋板と押レバーを一体に連接した蓋板部材とを備えた容器の蓋体であって、
ケース本体と蓋板部材との間に、蓋板部材を廻動させ、注出口を閉じる方向に付勢するばねを弾装したことを特徴とする容器の蓋体。
【請求項２】
ケース本体の注出筒が、上端が前方に傾斜した前壁と、後壁および、前壁と後壁を結び上端縁を円弧状とした側壁からなり、注出口が円筒状曲面となるよう形成されており、
蓋板が、注出口の面と摺動する円筒状曲面で形成されていることを特徴とする請求項１記載の容器の蓋体。
【請求項３】
注出筒が、前端を前方に傾斜させて突出させ、その前端を頂点として中央部を凹面とした、三角形状の湾曲面によって形成される前壁と、後壁、および前壁と後壁を結び上端縁を円弧状にした側壁からなり、注出口が円筒状曲面となるよう形成されており、
蓋板が、注出口の面と摺動する円筒状曲面で形成されていることを特徴とする請求項１記載の容器の蓋体。
【請求項４】
ケース本体が、基板の側端に沿ってピン取付孔を穿孔したばね取付板を連接しており、該ばね取付板にピンを介してねじりばねを取着し、ねじりばねの一端を基板に取着するとともに、他端を押レバーの下面に係合させるようにしたことを特徴とする請求項１〜３記載の容器の蓋体。
【請求項５】
ケース本体が、基板にばね取付板を立設して、板ばねの一端をピンに捲回してばね取付板に取着し、板ばねの他端を蓋板部材の下面に設けた係合板に係合させたことを特徴とする請求項１〜３記載の容器の蓋体。
【請求項６】
蓋板の上面を押圧する係止片を設けた押え具を、注出筒に取着したことを特徴とする請求項１〜５記載の容器の蓋体。
【発明の詳細な説明】
【０００１】
【発明の属する技術分野】
本発明は、容器の蓋体、とくに液切れをよくしたスライド式蓋体を具えた塗料、その他高粘度液容器用の蓋体に関する。
【０００２】
【従来の技術】
塗料容器において、注ぎ口（１３）を開閉する滑動可能な滑り板（１７）と滑り板（１７）後端に連結した操作てこ（１９）とを具え、滑り板（１７）を板ばね（２３）を介して固定用心鉄（２７）にねじ（２５）で取り付け、板ばね（２３）の耳（２９）と滑り板（１７）後方の切出し部分（３５）との間につる巻ばね（３３）を弾装した蓋体であって、操作てこ（１９）を廻動操作することによって、滑り板（１７）前端部を注ぎ口（１３）の縁上に押さえながら、滑動させるようにした撹拌機を装着した塗料容器の蓋体は、特公平７−１２１３５１号公報に記載されているよう従来より公知である。
【０００３】
【発明が解決しようとする課題】
しかしながら、上記従来技術は、撹拌機を装着するため、設計上の制約を受け、蓋体自体の構成が複雑にならざるを得ないという問題があった。
滑り板（１７）は、固定用心鉄（２７）にばね板（２３）を介してねじ（２５）によって取り付けられ、後方では、案内筒（９）垂直壁（４７）の上面で滑り板（１７）が支持されているだけであるので、滑り板（１７）が安定して確実に支持されないという問題点があった。
【０００４】
滑り板（１７）を注ぎ口（１３）に押圧させるためには、滑り板（１７）の上方に板ばね（２３）を配設し、押圧力を付与しなければならず、そのため、板ばね（２３）の耳（２９）につる巻ばね（３３）の一端を連結しているので、滑り板（１７）の駆動に二つのばねを必要とし、部品数が増え、構造も複雑になるという問題点があった。
【０００５】
滑り板（１７）の開閉は凹所（４５）を軸心として廻動する操作てこ（１９）を操作して行うようにしているが、開放作動時には、操作てこ（１９）の縦溝（３９）の下縁が、滑り板（１７）の折曲部（３７）に係合して、滑り板（１７）を右方に摺動させるようにしているので、操作てこ（１９）により折曲部（３７）ひいては滑り板（１７）を時計方向に回転させるモーメントが働き、滑り板（１７）前端部が浮き上がるよう作用する。
それを防ぐためにも、板ばね（２３）を必要とするとともに、滑り板（１７）に剛性を付与するためにも、鋼製のものを用いなければならないという問題が生じた。
【０００６】
本発明は、上記の問題点を解決することを課題として、円筒状曲面に形成された注出口と同一面とした蓋板と押レバーとを一体にした蓋板部材を具えた蓋体で、構造が簡単、組立が容易であり、蓋板の開閉がワンタッチで簡単にできる、液切れのよい塗料その他高粘度液容器の蓋体を提供することを目的とする。
【０００７】
【課題を解決するための手段】
本発明は、上記の課題を解決するため、容器の蓋体として、注出筒を具えたケース本体と、ケース本体に廻動自在に取着され、蓋板と押レバーを一体に連接した蓋板部材とを備えた容器の蓋体であって、ケース本体と蓋板部材との間に、蓋板部材を廻動させ、注出口を閉じる方向に付勢するばねを弾装したことを特徴とする構成を採用する。
【０００８】
注出筒の実施態様として、ケース本体の注出筒が、上端が前方に傾斜した前壁と、後壁および、前壁と後壁を結び上端縁を円弧状とした側壁からなり、注出口が円筒状曲面となるよう形成されており、蓋板が、注出口の面と摺動する円筒状曲面で形成されていることを特徴とする構成を採用する。
【０００９】
注出筒の別実施態様として、注出筒が、前端を前方に傾斜させて突出させ、その前端を頂点として中央部を凹面とした、三角形状の湾曲面によって形成される前壁と、後壁、および前壁と後壁を結び上端縁を円弧状にした側壁からなり、注出口が円筒状曲面となるよう形成されており、蓋板が、注出口の面と摺動する円筒状曲面で形成されていることを特徴とする構成を採用する。
【００１０】
ばねの実施態様として、ケース本体が、基板の側端に沿ってピン取付孔を穿孔したばね取付板を連接しており、該ばね取付板にピンを介してねじりばねを取着し、ねじりばねの一端を基板に取着するとともに、他端を押レバーの下面に係合させるようにしたことを特徴とする構成を採用する。
【００１１】
ばねの別実施態様として、ケース本体が、基板にばね取付板を立設して、板ばねの一端をピンに捲回してばね取付板に取着し、板ばねの他端を蓋板部材の下面に設けた係合板に係合させたことを特徴とする構成を採用する。
【００１２】
押え具の実施例として、蓋板の上面を押圧する係止片を設けた押え具を、注出筒に取着したことを特徴とする構成を採用する。
【００１３】
【発明の実施の形態】
次に、本発明の第１実施形態の蓋体について、図面を参照して説明する。
図１において、Ａは塗料その他高粘度の内容液を収納する容器、Ｂは容器Ａの口筒部に取着された蓋体である。
【００１４】
図１に示すように、容器Ａは、口筒部１と横断面楕円形または角形の胴部２、胴部２と同形の肩部３、底部とを具えている。
口筒部１は、肩部３の前端部に位置し、他方の後端部には隆起部４が設けられ、口筒部１外周にはねじ５が螺設されている。
胴部２の断面形状は円形でもよく、口筒部１の位置も中心近くに設け、隆起部４をなくしてもよい。
【００１５】
蓋体Ｂは、ケース本体Ｂ１とケース本体Ｂ１に廻動自在に装着された蓋板部材Ｂ２とを具えており、ケース本体Ｂ１は、基板１０と、基板１０に立設された注出筒１１、ばね取付板１２を具えている。
【００１６】
基板１０の前端部には、少なくとも口筒部１天面までを覆う部分を残して開口１３が穿孔され、基板１０の前端縁には、上方を前方に傾斜させ、下方を湾曲部とした前壁１４が連設され、開口１３の後端縁に沿って後壁１５が立設されている。
基板１０の両側端縁には、前壁１４と後壁１５を結ぶ上端を円弧とした側壁１６が立設されており、前壁１４、後壁１５、側壁１６によって注出筒１１が形成され、各壁１４，１５，１６の上端縁によって、上面を円筒状曲面とする注出口１７が形成されている。
【００１７】
基板１０の下面には、開口１３を囲んで、容器Ａの口筒部１に螺合される取付筒１８が垂設され、取付筒１８には、ねじ５に螺合するねじ１９が螺設されている。
【００１８】
基板１０の後端部は、取付筒１８の後縁から傾斜した傾斜板２０となっており、その後端には、立上がり板２１が連設されている。
立上がり板２１の上端には、水平板２２が連設され、立上がり板２１の所定個所には、基板１０と水平板２２との間に縦溝２３が穿孔されている。
水平板２２の後端には、傾斜する端板２４が連設されている。
【００１９】
図２に示すように、基板１０の側端縁には、側壁１６から後方に延び、立上がり板２１に至る表面を側壁１６と面一としたへの字形の前記ばね取付板１２が立設されており、中間部にピン取付孔２５が穿孔されている。
基板１０の周縁には、前周壁２６と側周壁２７が垂設されており、取付筒１８の部分では両壁それぞれ取付筒１８と周面を共通にするとともに、側壁１６、ばね取付板１２と表面を面一としている。
【００２０】
側周壁２７の前方上部には、外方に突出する枢軸２８が突設され、枢軸２８の上方の側壁１６の表面には、縦方向に延びる突条２９が突設されている。
側周壁２７の下面には、肩部３の隆起部４に対応する位置に、隆起部４の両側に係合する一定巾の位置決め片３０が形成されている。
【００２１】
図１，３に示すように、蓋板部材Ｂ２は、上板３５と側板３６を具えており、上板３５は、上面を円筒状曲面３７とした蓋板３８と、それに続く押レバー３９とからなっており、その境目には、係合板４０が垂設されている。
押レバー３９は、蓋板３８の円筒状曲面３７に続き、上面に湾曲する凹面４１とへの字形に続く二つの傾斜板４２，４３とからなっており、凹面４１及び傾斜板４２，４３は、押レバー３９の押え部を構成している。
【００２２】
側板３６は、上板３５の両側端縁より下垂され、蓋板３８の中間部から下垂する端縁４４と、傾斜縁４５、上板３５の側端縁によって形成されており、端縁４４と傾斜縁４５の交差部は円弧４６となっており、その中心には、枢軸２８の嵌挿孔４７が穿孔されている。
【００２３】
側壁１６の外面には、蓋板３８を上面から押圧する押え具４８が取着されている。
押え具４８は、上板４９と側板５０とからなり、上板４９には、蓋板３８を押圧する係止片５１が設けられ、側板５０には、側壁１６表面の突条２９に係合して位置決めされる嵌挿孔５２が穿孔されている。
【００２４】
図４に示すように、ケース本体Ｂ１の対向するばね取付板１２のピン取付孔２５には、ピン５３が取着されており、該ピン５３には、押レバー３９を反時計方向に廻動させるよう付勢されたねじりばね５４が嵌挿され、押レバー３９と基板１０の傾斜板２０との間に弾装されている。
【００２５】
次に、本実施形態の作用効果について説明する。
蓋体Ｂの組立は、まず、ねじりばね５４を巻き付けたピン５３を、ねじりばね５４の一端を立上がり板２１の縦溝２３に挿入して、ケース本体Ｂ１のばね取付板１２のピン取付孔２５に嵌挿する。
【００２６】
次いで、蓋板部材Ｂ２を、ねじりばね５４を押さえながらケース本体Ｂ１に被せて、蓋板３８で注出口１７を覆うようにして、側板３６の嵌挿孔４７をケース本体Ｂ１の側周壁２７の枢軸２８に嵌着する。
次いで、押え具４８を、その嵌挿孔５２を側壁１６表面の突条２９に嵌着して、注出筒１１に取付ける。
【００２７】
組立は、きわめて容易であり、組立が完了したときには、ねじりばね５４の付勢により、蓋板３８は、係合板４０が注出筒１１の後壁１５に衝接するまで廻動して注出口１７を閉じる。
組立られた蓋体Ｂは、その取付筒１８を容器Ａの口筒部１に螺着して容器Ａに取着される。
【００２８】
内容物の注出にあたっては、図４に示すように、押レバー３９の押え部を上から押さえると、蓋板部材Ｂ２は、枢軸２８を中心として、ねじりばね５４の付勢に抗して時計方向に廻動して、注出口１７が開かれる。
次いで、容器Ａを傾けると内容物を注出することができ、押レバー３９から手を離すと、ねじりばね５４が押レバー３９を押し戻し、蓋板３８を、枢軸２８を中心に廻動させ、注出口１７が閉鎖される。
【００２９】
その際、蓋板３８は、注出口１７に当接しながら廻動するとともに、押え具４８で押圧されるので、蓋板３８前端は、注出口１７の上端縁に圧接され、内容液を切断して切り落とし、液切れをよくする。
【００３０】
次に、第２実施形態の蓋体について説明する。
本実施形態は、注出筒の形状とばねを変形したものである。
容器は、前実施形態と同一であるので、同一の番号をもって図示するだけとし、以下蓋体について説明する。
【００３１】
図５において、Ａは容器、Ｂａは蓋体であり、蓋体Ｂａは、ケース本体Ｂ１ａと、ケース本体Ｂ１ａに廻動自在に装着された蓋板部材Ｂ２ａとからなっており、ケース本体Ｂ１ａは、基板６０と、基板６０に立設された注出筒６１、ばね取付板６２を具えている。
【００３２】
図５〜７に示すように、基板６０の前端部には、少なくとも口筒部１天面までを覆う部分を残して開口６３が穿孔され、基板６０の前端縁には、上端を前方に傾斜させて突出させ、その前端６４を頂点として中央部を凹面とした、三角形状の湾曲面によって形成される前壁６５が立設されており、開口６３の後端縁に沿って後壁６６が立設されている。
基板６０の両側端縁に沿って、前壁６５、後壁６６を結ぶ側壁６７が立設されており、前壁６５の前端６４を通る前壁６５の上端縁、側壁６７の上端縁は、共通する円筒状曲面を形成している。
【００３３】
前壁６５、側壁６７と開口６３との間には、基板６０を延設させた隔壁６８が形成されている。
前壁６５、側壁６７、後壁６６によって、前記注出筒６１が形成され、各壁の上端縁によって、円筒状曲面で形成される注出口６９が形成されている。
【００３４】
基板６０の下面には、開口６３を囲んで容器Ａの口筒部１に螺着される取付筒７０が垂設されている。
基板６０の後端には、取付筒７０の後方で段差が設けられ、下段板７１が連設されている。
基板６０の周縁には、前周壁７２と側周壁７３が垂設されており、各壁は、取付筒７０の部分では、取付筒７０の周面と面一とするとともに、側周壁７３の前端部には、前周壁７２に続く一定巾の突出面７４が垂設されている。
側周壁７３の前方上部には、外方に突出する枢軸７５が突設されている。
【００３５】
基板６０の後端部には、前記ばね取付板６２が立設されており、ばね取付板６２は、支え板７６と側板７７とからなり、側板７７の上端部には、ピン取付孔７８が穿孔されている。
【００３６】
図６，７に示すように、蓋板部材Ｂ２ａは、上板８５と側板８６を具えており、上板８５は、上面を円筒状曲面８７とした蓋板８８と、それに続く押レバー８９とからなっており、その境目には、係合板９０が垂設されている。
蓋板８８は、注出口６９の円筒状曲面と同形の円筒状曲面を形成する前半の三角形状の円筒状曲面９１と、後半の四角形状の円筒状曲面９２とからなっている。
【００３７】
押レバー８９は、蓋板８８の円筒状曲面８７に続き、上面に湾曲する凹面９３とへの字形に続く二つの傾斜板９４，９５とからなっており、凹面９３及び傾斜板９４，９５は、押レバー８９の押え部を構成している。
【００３８】
側板８６は、上板８５の両側端縁より下垂され、蓋板８８の中間部から下垂する端縁と、傾斜縁、上板８５の側端縁によって形成されており、端縁と傾斜縁の交差部は円弧９６となっており、その中心には、枢軸７５の嵌挿孔９７が穿孔されている。
【００３９】
係合板９０は、注出筒６１の後壁６６に係合するとともに、側端には、後方に延びる側板９８が連設されている。
【００４０】
ばね取付板６２には、板ばね９９の一端縁に設けた捲回部にピン１００が嵌挿され、ピン１００をピン取付孔７８に嵌着することによって、板ばね９９の一端が取着され、板ばね９９の他端は、係合板９０に当接するようにして、板ばね９９は圧縮ばねとしてばね取付板６２と係合板９０との間に弾装されている。
【００４１】
次に、本実施形態の作用効果について説明する。
蓋体Ｂａの組立は、まず、板ばね９９をばね取付板６２に取付け、次いで、蓋板部材Ｂ２ａの係合板９０を、注出筒６１の後壁から板ばね９９の一端を離すようにしつつ蓋板８８で注出口６９を覆うようにして、側板８６の嵌挿孔９７をケース本体Ｂ１ａの側周壁７３の枢軸７５に嵌着する。
組立は、以上のようにきわめて簡単であり、組立時には、板ばね９９の付勢によって、係合板９０が注出筒６１後壁に衝接するまで廻動して、注出口６９を閉じる。
【００４２】
内容物の注出にあたっては、図８に示すように、押レバー８９の押え部を上から押さえると、蓋板部材Ｂ２ａは、枢軸７５を中心として、板ばね９９の付勢に抗して時計方向に廻動して、注出口６９が開かれる。
次いで、容器Ａを傾けると内容物を注出することができ、押レバー８９から手を離すと、板ばね９９が係合板９０を押し戻し、押レバー８９を廻動させ、蓋板８８を枢軸７５を中心に廻動させ、注出口６９が閉鎖される。
【００４３】
前記第１実施形態において、注出筒、注出口として、第２実施形態のものを適用してもよく、また、ねじりばねに変えて、基板の傾斜板上面と押レバー下面にばね受け突起を設け、圧縮コイルばねを弾装するようにしてもよい。
第２実施形態において、第１実施形態の押え具を適用してもよく、また、板ばねに変え、圧縮コイルばねを用いてもよい。
【００４４】
【発明の効果】
本発明は、上記のように構成されているから、次の効果を奏する。
注出口を具えたケース本体と、ケース本体に廻動自在に取着され、蓋板と押レバーを一体として、蓋板部材との間に、注出口を閉鎖する方向に付勢するばねを弾装し、押レバーを押下げることによって注出口を開き、押レバーから手を離すことによって、ばねの付勢によって注出口を閉じるようにしたから、操作が極めて簡単にできる。
【００４５】
蓋板を閉じるときに、ばねの作用によって、スライドして注出口を閉じるようにしているから、蓋体の先端によって内容物を切断し、切られた内容物を押し出すようにするので、液切れがよくなり、注出口周辺も汚れない。
【００４６】
押え具によって蓋板を押圧するときには、蓋板が注出口に圧接し、液切れを更によくするとともに容器内の密封性が向上される。
【００４７】
注出口前端の形状を三角形としたときには、液の流出方向を集中させ、閉じるときには、蓋板による液切れをさらに向上させることができる。
【００４８】
また、蓋板部材として蓋板と押レバーを連接して一体化しているから、部品数が減少し、コスト減になるとともに、蓋体の構造が簡単になり、組立も容易になった。
【図面の簡単な説明】
【図１】本発明第１実施形態蓋体の断面立面図である。
【図２】ケース本体の側面図である。
【図３】蓋体の斜視図である。
【図４】蓋板部材の開閉操作時の説明図である。
【図５】第２実施形態蓋体の断面立面図である。
【図６】蓋体の側面図である。
【図７】蓋体の上面図である。
【図８】蓋板部材の開閉操作時の説明図である。
【符号の説明】
Ａ　　　　　容器
Ｂ、Ｂａ　　蓋体
１　　　　　口筒部
１０、６０　基板
１１、６１　注出筒
１２、６２　ばね取付板
１３、６３　開口
１４、６５　前壁
１５、６６　後壁
１６、６７　側壁
１７、６９　注出口
１８、７０　取付筒
２０　　　　傾斜板
２２　　　　水平板
２３　　　　縦溝
２４　　　　端板
２５、７８　ピン取付孔
２８、７５　枢軸
３５、８５　上板
３６、８６　側板
３７、８７　円筒状曲面
３８、８８　蓋板
３９、８９　押レバー
４０、９０　係合板
４１、９３　凹面
４２、４３、９４、９５　傾斜板
４７　　　　嵌挿孔
４８　　　　押え具
５１　　　　係止片
５２、９７　嵌挿孔
５３、１００　ピン
５４　　　　ねじりばね
６４　　　　前端
６８　　　　隔壁
７６　　　　支え板
７７　　　　側板
９９　　　　板ばね
【図１】
2004090997.tif 000003
【図２】
2004090997.tif 000004
【図３】
2004090997.tif 000005
【図４】
2004090997.tif 000006
【図５】
2004090997.tif 000007
【図６】
2004090997.tif 000008
【図７】
2004090997.tif 000009
【図８】
2004090997.tif 000010